(57)【要約】      （修正有）【課題】単一の動作だけで、蓋体を係合固定して係止するか、係止を解除して蓋体が開くマグボトルのロック構造を提供する。【解決手段】マグボトルのロック構造は、瓶体１、接合蓋２、押ボタン部材３及びロック部材４を備える。接合蓋は、瓶体の上端の開口に結合される。接合蓋の一側には、蓋体２２が枢着され、蓋体が接合蓋の上端に嵌合されるか分離される。蓋体の底端には、接合蓋に枢着された反対側に第１のフック２４が設けられる。接合蓋の外壁には、第１のフックに対応するように組立溝２５が形成され、組立溝の溝底には、枢着部２６が設けられ、枢着部の下には、凹状区間２７が形成される。ロック部材を押して引き下げると、ロック部材の底端が摺動して凹状区間中へ移動し、押ボタン部材上端の第２のフック３４と蓋体の第１のフックとが外れ、蓋体が自動的に開く。蓋体を閉じると、第１と第２のフックとが係合され、ロック部材が上方へ移動し、係合状態が固定される。【選択図】図１
0003220996.tif 000002
【実用新案登録請求の範囲】
【請求項１】
瓶体、接合蓋、押ボタン部材及びロック部材を備えた、マグボトルのロック構造であって、
前記接合蓋は、前記瓶体の上端の開口に結合され、前記接合蓋の一側には、蓋体が枢着され、前記蓋体が前記接合蓋の上端に対応して嵌合されるか分離され、前記蓋体の底端には、前記接合蓋に枢着された反対側に第１のフックが設けられ、前記接合蓋の外壁には、前記第１のフックに対応するように組立溝が形成され、前記組立溝には、枢着部が設けられ、前記組立溝の溝底の前記枢着部下には、凹状区間が形成され、
前記押ボタン部材は、前記接合蓋の前記組立溝に配設され、前記押ボタン部材の内側面には、枢着回転部が設けられ、前記枢着回転部は、前記接合蓋の前記組立溝の前記枢着部に対応し、枢軸が挿設されて枢着され、前記押ボタン部材の内側面の上端には、第２のフックが設けられ、前記第２のフックが前記蓋体の前記第１のフックに対応して係止又は分離し、前記押ボタン部材の外側面には、第１のストッパ部が突設され、
前記ロック部材の内側面の２つの縁部には、スライド溝道がそれぞれ形成され、前記押ボタン部材の両側縁部は、前記ロック部材の前記スライド溝道に摺動可能に配設され、前記ロック部材の内側面中央部には、前記ロック部材の長手方向にガイド溝が形成され、前記ガイド溝の上端には、第２のストッパ部が設けられ、前記押ボタン部材の前記第１のストッパ部は、前記ガイド溝内に位置し、前記ガイド溝内には、弾性部材が収容され、前記弾性部材の両端が前記第１のストッパ部及び前記第２のストッパ部にそれぞれ押し付けられて位置決めされ、前記ロック部材の底端が選択的に前記接合蓋の前記凹状区間に位置するか外れることを特徴とする、
マグボトルのロック構造。
【請求項２】
前記ロック部材は、前記押ボタン部材と等しい長さを有し、前記ロック部材の底端は、選択的に前記押ボタン部材の前記枢着回転部と前記接合蓋の前記枢着部との枢着箇所の上方に位置するか、前記接合蓋の前記凹状区間に位置することを特徴とする請求項１に記載のマグボトルのロック構造。
【請求項３】
前記ロック部材の内側面底端には、位置決め凸縁が設けられ、前記接合蓋の前記凹状区間は、前記位置決め凸縁を収容可能な形状に形成され、前記接合蓋の前記組立溝には、前記枢着部と前記凹状区間との間に凸台が形成され、前記ロック部材の前記位置決め凸縁が選択的に前記凸台に当接されるか、前記凹状区間中に位置することを特徴とする請求項１に記載のマグボトルのロック構造。
【考案の詳細な説明】
【技術分野】
【０００１】
本考案は、マグボトルのロック構造に関し、特に、蓋体を係合固定して係止し、係止を解除すると蓋体が開くマグボトルのロック構造に関する。
【背景技術】
【０００２】
従来のマグボトルは、中に入れた温かい又は冷たい飲み物の温度変化を抑えることができる上、保温機能を有するカップ本体と、飲み口又は注ぎ口に螺子嵌合する蓋体と、から構成されていた。
従来のマグボトルの蓋体の大部分は、引き起こして開くことができ、蓋体本体に可動蓋体が枢着されるとともに、蓋体本体と蓋体とがフックにより係合固定され、蓋体本体の一側には、そのフックが連結された押ボタンが設けられている。しかし、マグボトルをリュックサック、鞄などに入れると、蓋体に設けた押ボタンが他の物に当たって押され、蓋体が不要に開いてしまうことがあった。そのため、従来の蓋体は、ロック構造を備えることが一般的であった。
【０００３】
特許文献１の「保温瓶の係合構造」は、瓶体と、瓶体の開口に設けられた接合蓋と、接合蓋に接続されて引き下ろして係合固定する上蓋と、を含む。上蓋は、係合部を有する。係合部上には、上下摺動する位置決め片が設けられ、位置決め片の底縁には、プレート状の嵌入部が設けられる。接合蓋は、係合部に対応した可動フック部を有する。フック部の頂縁には、嵌合溝が形成され、接合蓋にはノズル状本体が設けられる。マグボトルを携帯するとき、接合蓋の可動フック部が上蓋の係合部に掛止され、位置決め片を下方へ移動させて嵌入部をフック部の嵌合溝に嵌入させると、上蓋が密着するように嵌合される。
【０００４】
特許文献２の「保温瓶の係合構造の改良」は、瓶体と、瓶体の開口に設けられた接合蓋と、接合蓋に接続されて引き下ろして係合固定される上蓋と、を含む。上蓋は、係合部を有する。接合蓋は、固定ベースを有する。固定ベースは、係合部に対応した可動フック部と、上下移動可能な位置決め片と、を有する。保温瓶を携帯するときは、接合蓋の位置決め片を下方へ移動させるため、フック部を係止し、上蓋が密着するように嵌合されて開かないため、中の飲み物が外に漏れ出ず、使用する際、位置決め片を上方へ移動させ、可動フック部を押圧すると上蓋を開くことができる。
【０００５】
特許文献３の「蓋体の係合構造」は、第１の蓋体、第２の蓋体、リングユニット及び組合せユニットを含む。リングユニットは、位置決めリングを含む。組合せユニットは、組合せリングを含む。位置決めリングの内側面には、押し込み凸部が突設される。組合せリングの外リング側面には、押し込み凸部の位置及び形状に対応した押し込み溝が凹設され、押し込み凸部が押し込み溝に係合され、位置決めリングが組合せリングから外れ難くする。組合せリングには、少なくとも１つの締付け溝が貫通される。少なくとも１つの締付け溝は、組合せリングが位置決めリングにより密着するように係合されて変形されるため、組合せリングの内環面が係合圧着部材に密着するように接合され、位置決めリングとリブとがより強固に係合される。
【０００６】
特許文献１〜３の蓋体は全て、ロック構造を有し、そのロック構造により蓋体の押ボタンが他の物に当たって押されて不用意に開いてしまうことを防ぐことができるが、以下（１）〜（３）の問題点があった。
（１）構造が複雑であったため、子どもにとってロックを解除して蓋を開くことは容易でなかった。
（２）蓋を開くときは、第１ステップにおいて、まず、ロック構造を解除し、第２ステップで押ボタンを押して、蓋体を開くことができる。また、蓋体を閉じるときは、この２つの操作ステップを逆に行わなければならなかったため、使用し難かった。
（３）ロック構造をロックし忘れると、マグボトルが倒れて携帯電話、コンピュータなどが濡れたり、鞄、自動車の車内などで漏れ出てしまったりする虞があった。
【考案の概要】
【考案が解決しようとする課題】
【０００７】
本考案の目的は、蓋体を係合固定して係止し、係止を解除すると蓋体が開くマグボトルのロック構造を提供することにある。
【課題を解決するための手段】
【０００８】
上記課題を解決するために、本考案の第１の形態によれば、瓶体、接合蓋、押ボタン部材及びロック部材を備えた、マグボトルのロック構造であって、前記接合蓋は、前記瓶体の上端の開口に結合され、前記接合蓋の一側には、蓋体が枢着され、前記蓋体が前記接合蓋の上端に対応して嵌合されるか分離され、前記蓋体の底端には、前記接合蓋に枢着された反対側に第１のフックが設けられ、前記接合蓋の外壁には、前記第１のフックに対応するように組立溝が形成され、前記組立溝には、枢着部が設けられ、前記組立溝の溝底の前記枢着部下には、凹状区間が形成され、前記押ボタン部材は、前記接合蓋の前記組立溝に配設され、前記押ボタン部材の内側面には、枢着回転部が設けられ、前記枢着回転部は、前記接合蓋の前記組立溝の前記枢着部に対応し、枢軸が挿設されて枢着され、前記押ボタン部材の内側面の上端には、第２のフックが設けられ、前記第２のフックが前記蓋体の前記第１のフックに対応して係止又は分離し、前記押ボタン部材の外側面には、第１のストッパ部が突設され、前記ロック部材の内側面の２つの縁部には、スライド溝道がそれぞれ形成され、前記押ボタン部材の両側縁部は、前記ロック部材の前記スライド溝道に摺動可能に配設され、前記ロック部材の内側面中央部には、前記ロック部材の長手方向にガイド溝が形成され、前記ガイド溝の上端には、第２のストッパ部が設けられ、前記押ボタン部材の前記第１のストッパ部は、前記ガイド溝内に位置し、前記ガイド溝内には、弾性部材が収容され、前記弾性部材の両端が前記第１のストッパ部及び前記第２のストッパ部にそれぞれ押し付けられて位置決めされ、前記ロック部材の底端が選択的に前記接合蓋の前記凹状区間に位置するか外れることを特徴とするマグボトルのロック構造が提供される。
【０００９】
前記ロック部材は、前記押ボタン部材と等しい長さを有し、前記ロック部材の底端は、選択的に前記押ボタン部材の前記枢着回転部と前記接合蓋の前記枢着部との枢着箇所の上方に位置するか、前記接合蓋の前記凹状区間に位置することが好ましい。
【００１０】
前記ロック部材の内側面底端には、位置決め凸縁が設けられ、前記接合蓋の前記凹状区間は、前記位置決め凸縁を収容可能な形状に形成され、前記接合蓋の前記組立溝には、前記枢着部と前記凹状区間との間に凸台が形成され、前記ロック部材の前記位置決め凸縁が選択的に前記凸台に当接されるか、前記凹状区間中に位置することが好ましい。
【考案の効果】
【００１１】
本考案のマグボトルのロック構造は、蓋体を開くときは、力を加えてロック部材を押して引き下げると、ロック部材の底端が摺動して接合蓋下方に形成した凹状区間中へ移動し、押ボタン部材と組立溝との枢着箇所を支点として用い、押ボタン部材上端の第２のフックと蓋体の第１のフックとが外れ、蓋体が自動的に開く。指でロック部材を移動させて開くと、ロック部材が自動的に上方へ移動して元の位置に戻る。蓋体を閉じると、押ボタン部材の第２のフックと蓋体の第１のフックとが対応して係合され、ロック部材が上方へ移動し、係合状態が固定される。そのため、本考案は、蓋体を係合固定して係止し、係止を解除すると蓋体が開く。
【図面の簡単な説明】
【００１２】
【図１】本考案の第１実施形態に係るマグボトルのロック構造を示す分解斜視図である。
【図２】本考案の第１実施形態に係るマグボトルのロック構造を示す斜視図である。
【図３】本考案の第１実施形態に係るマグボトルのロック構造を示すもう一つの斜視図である。
【図４】本考案の第１実施形態に係るマグボトルのロック構造を示す断面図である。
【図５】本考案の第１実施形態に係るマグボトルのロック構造の使用状態の説明図である。
【図６】本考案の第１実施形態に係るマグボトルのロック構造の使用状態の部分拡大図である。
【図７】本考案の第２実施形態に係るマグボトルのロック構造を示す分解斜視図である。
【図８】本考案の第２実施形態に係るマグボトルのロック構造を示す断面図である。
【図９】本考案の第２実施形態に係るマグボトルのロック構造の使用状態の部分拡大図である。
【図１０】本考案の第３実施形態に係るマグボトルのロック構造を示す断面図である。
【考案を実施するための形態】
【００１３】
以下、本考案の実施形態について図に基づいて説明する。なお、これによって本考案が限定されるものではない。
【００１４】
（第１実施形態）
図１〜図４を参照する。図１〜図４に示すように、本考案の第１実施形態に係るマグボトルのロック構造は、少なくとも瓶体１、接合蓋２、押ボタン部材３及びロック部材４から構成されてなる。
【００１５】
瓶体１は、飲み物を受ける。
【００１６】
接合蓋２は、瓶体１の上端の開口に結合される。接合蓋２の中央部には、貫通孔２１が形成され、接合蓋２の一側には、蓋体２２が可動可能に枢着され、蓋体２２が接合蓋２の上端に対応して嵌合される。蓋体２２の内側面中央部には、プラグピン２３が突設され、接合蓋２の貫通孔２１に対応して閉塞し、蓋体２２の底端には、蓋体２２が枢着された他側に第１のフック２４が設けられ、接合蓋２の外壁の第１のフック２４に対応するように組立溝２５が形成される。組立溝２５には、枢着部２６が設けられる。組立溝２５の溝底の枢着部２６下には、凹状区間２７が形成される。
【００１７】
押ボタン部材３は、接合蓋２の組立溝２５に位置するとともに、表裏の関係にある内側面及び外側面を有する。押ボタン部材３の内側面には、枢着回転部３１が設けられ、接合蓋２の組立溝２５の枢着部２６に対応し、枢軸３２が挿設されて枢着される。枢着部２６と枢着回転部３１との間には、トーションバネである弾力部材３３が配設される。押ボタン部材３の内側面の上端には第２のフック３４が設けられ、第２のフック３４を蓋体２２の第１のフック２４に対応させて係止又は分離させ、押ボタン部材３の外側面には、押ボタン部材３と一体に連続接続された第１のストッパ部３５が突設されている。
【００１８】
ロック部材４は押ボタン部材３と等しい長さを有し、ロック部材４と押ボタン部材３の底端とが押ボタン部材３の枢着回転部３１と接合蓋２の枢着部２６との枢着箇所の上方に位置し、ロック部材４は、表裏の関係にある内側面及び外側面を有する。ロック部材４の内側面の２つの側辺縁には、スライド溝道４１がそれぞれ形成される。ロック部材４の両側のスライド溝道４１には、押ボタン部材３の両側縁部が摺動可能に配設される。ロック部材４の内側面中央部には、ロック部材４の長手方向でガイド溝４２が形成される。ガイド溝４２の上端には、第２のストッパ部４３が突設される。
第２のストッパ部４３は、ロック部材４の外側面を介してガイド溝４２に挿設されたねじ、ピン、ストッパなどでもよい。押ボタン部材３の第１のストッパ部３５は、ガイド溝４２内に位置し、ガイド溝４２内には、圧縮ばねである弾性部材４４が収容され、弾性部材４４の両端が第１のストッパ部３５及び第２のストッパ部４３にそれぞれ押し付けられて位置決めされる。ロック部材４の底端が選択的に押ボタン部材３の枢着回転部３１と接合蓋２の枢着部２６との枢着箇所の上方又は接合蓋２の凹状区間２７に位置する。ロック部材４の外側面には、押圧部４５が設けられ、押圧部４５上には、複数の凹凸が並んだ滑り止めパターンが形成される。
【００１９】
蓋体２２が接合蓋２に対して閉じられると、図３及び図４に示すように、蓋体２２の底端の第１のフック２４が押ボタン部材３上端の第２のフック３４に対応して係止され、蓋体２２が接合蓋２の上端に対して閉じた状態が固定され、このときにロック部材４の底端は、接合蓋２の凹状区間２７上に位置する。
【００２０】
ユーザがマグボトルの瓶体１内に受ける飲み物を飲むときは、図５及び図６に示すように、ロック部材４の外側面に設けた押圧部４５を手で押すと、力を加えてロック部材４を引っ張り下げ、ロック部材４の底端が接合蓋２下の凹状区間２７に至るまで変位するため、押ボタン部材３の枢着回転部３１と接合蓋２の枢着部２６との枢着箇所が支点として用いられる。
押ボタン部材３上端の第２のフック３４は、反対方向に変位し、押ボタン部材３の第２のフック３４が蓋体２２の第１のフック２４との係合状態から外れると、蓋体２２を引き起こして開き、接合蓋２の貫通孔２１を露出させ、瓶体１中の飲み物が貫通孔２１を介して外に注ぎ出される。ユーザが手でロック部材４を押し、ロック部材４をその底端まで引っ張り下げて接合蓋２の凹状区間２７中に変位させ、ロック部材４の押ボタン部材３に対する係止位置決めを解除すると、押ボタン部材３の第２のフック３４と蓋体２２の第１のフック２４との係止状態が解除され、飲み物を容易に飲むことができる。
【００２１】
また、本考案のマグボトルの蓋を閉じると、ロック部材４の底端は、押ボタン部材３の枢着回転部３１と接合蓋２の枢着部２６との枢着箇所の上方に位置し、ロック部材４を引っ張り下げ、ロック部材４の底端が接合蓋２の枢着部２６と押ボタン部材３の枢着回転部３１との枢着箇所下方の凹状区間２７中に変位し、力点から支点までの距離が長い梃子作用が形成される。さもなければ、押ボタン部材３の第２のフック３４から蓋体２２の第１のフック２４を解除させることは困難である。
そのため、ロック部材４及び押ボタン部材３に誤って触れて押してしまうと、梃子作用の力点から支点までの距離が十分でなく、押ボタン部材３は、枢着回転部３１と接合蓋２の枢着部２６との枢着箇所を支点として揺動することがない。そのため、本考案は、マグボトルをリュックサック又は手提げ袋などに入れて携帯するときに、ロック部材４及び押ボタン部材３が他の物品に触れて押されても、押ボタン部材３上端の第２のフック３４と蓋体２２の第１のフック２４との係止状態が解除されることがないため、蓋体２２が不用意に引き起こされて開くことを防ぐことができる。
【００２２】
（第２実施形態）
図７及び図８を併せて参照する。本考案の第２実施形態に係るマグボトルのロック構造は、ロック部材４上端の第２のストッパ部４３が、ロック部材４と一体に連続接続されたバンプに成形される。ロック部材４の内側面底端には、位置決め凸縁４６が設けられる。接合蓋２の凹状区間２７は、位置決め凸縁４６が収容可能な形状に形成されるとともに、接合蓋２の組立溝２５には、枢着部２６と凹状区間２７との間に凸台２８が形成され、ロック部材４の位置決め凸縁４６を選択的に凸台２８に当接させるか、凹状区間２７中に位置決めさせる。
そのため、蓋体２２及び接合蓋２の蓋を閉じると、図９を併せて参照すると分かるように、ロック部材４の底端の位置決め凸縁４６が、接合蓋２の凸台２８に当接されて位置決めされ、ユーザが蓋体２２を開く際、手でロック部材４を押してロック部材４を引っ張り下げ、ロック部材４の内側面の底端の位置決め凸縁４６が接合蓋２下の凹状区間２７に変位すると、押ボタン部材３の枢着回転部３１と接合蓋２の枢着部２６との枢着箇所を支点として用い、押ボタン部材３上端の第２のフック３４を反対方向へ変位させ、押ボタン部材３の第２のフック３４と蓋体２２の第１のフック２４との係止状態を解除し、蓋体２２を引き起こして開くことができる。本実施形態のマグボトルが閉じられるときは、ロック部材４底端の位置決め凸縁４６が接合蓋２の凸台２８に当接されて位置決めされるため、押ボタン部材３の枢着回転部３１と接合蓋２の枢着部２６との枢着箇所を支点として揺動し、蓋体２２が不用意に開くことを防ぐことができる。
【００２３】
（第３実施形態）
図１０を併せて参照する。図１０に示すように、本考案の第３実施形態に係るマグボトルのロック構造は、接合蓋２の凹状区間２７の上縁に円弧状面取り２７１が形成されるとともに（図８を参照する）、面取り２７２が形成されるため、ロック部材４を引っ張り下げた後、位置決め凸縁４６が円弧状面取り２７１又は面取り２７２の案内により凹状区間２７中にスムーズにスライド移動させることができる。
【００２４】
上述した構造及び実施方式から分かるように、本考案のマグボトルのロック構造は、以下（１）及び（２）の長所を有する。
（１）力を加えてロック部材を押して引き下げるだけで、ロック部材の底端が摺動して組立溝の凹状区間中に移動し、押ボタン部材と組立溝との枢着箇所を支点として用い、押ボタン部材の上端の第２のフックと蓋体の第１のフックとが外れて蓋体が開くため、引き下げる単一の動作を行うだけで、ロック構造を解除するとともに、蓋体を開くことができるため、飲み物が飲み易い。
（２）力を加えてロック部材の上端に力を加え、押ボタン部材の第２のフックと蓋体の第１のフックとが対応して係合されるとともに、ロック部材が引き下げられ、圧縮状態の弾性部材が元の状態に戻り、ロック部材が復位して押ボタン部材がロックされる。そのため、本考案は単一の動作を行うだけで、蓋体を係合固定してロックし、蓋体が不用意に開いてしまうことを防ぐことができる。
【符号の説明】
【００２５】
１  瓶体
２  接合蓋
３  押ボタン部材
４  ロック部材
２１  貫通孔
２２  蓋体
２３  プラグピン
２４  第１のフック
２５  組立溝
２６  枢着部
２７  凹状区間
２８  凸台
３１  枢着回転部
３２  枢軸
３３  弾力部材
３４  第２のフック
３５  第１のストッパ部
４１  スライド溝道
４２  ガイド溝
４３  第２のストッパ部
４４  弾性部材
４５  押圧部
４６  位置決め凸縁
２７１  円弧状面取り
２７２  面取り
【図１】
0003220996.tif 000003
【図２】
0003220996.tif 000004
【図３】
0003220996.tif 000005
【図４】
0003220996.tif 000006
【図５】
0003220996.tif 000007
【図６】
0003220996.tif 000008
【図７】
0003220996.tif 000009
【図８】
0003220996.tif 000010
【図９】
0003220996.tif 000011
【図１０】
0003220996.tif 000012